【手続補正書】
【提出日】平成21年2月25日(2009.2.25)
【手続補正１】
【補正対象書類名】特許請求の範囲
【補正対象項目名】全文
【補正方法】変更
【補正の内容】
【特許請求の範囲】
【請求項１】
組成物で、架橋型水混和性ポリマーと、前記水混和性ポリマーの架橋型の形成に影響する二価イオンを含む少なくとも一つの架橋剤と、フロログルシノール、フロログルシノール誘導体及びフロログルシノール又はフロログルシノール誘導体の合成生成ポリマーからなる一群から選択した少なくとも一つのフロログルシノール型化合物からなる組成物。
【請求項２】
前記少なくとも一つのフロログルシノール型化合物がモノマー型である請求項１の組成物。
【請求項３】
前記少なくとも一つのフロログルシノール型化合物が非架橋ポリマー型、又はオリゴマー型、又は／及び架橋ポリマー又はオリゴマー型である請求項１の組成物。
【請求項４】
前記架橋ポリマー型が、少なくとも一つの活性化剤と、前記水混和性ポリマー及び前記少なくとも一つのフロログルシノール型化合物を前記架橋ポリマー型が生じるように混合することで得られる請求項３の組成物。
【請求項５】
前記少なくとも一つの活性化剤が、ハロペルオキシダーゼ酵素、酸化剤、ハロゲン塩及びその組み合わせからなる一群から選ばれる請求項４の組成物。
【請求項６】
前記少なくとも一つのフロログルシノール型化合物が、フロログルシノール又は下記一般構造で表されるフロログルシノール誘導体である請求項１の組成物で、
【化１】
2008536958.tif 000001
R1-R3はそれぞれ水素、アルキル、シクロアルキル及びアリールからなる一群から互いに独立して選択される組成物。
【請求項７】
前記少なくとも一つのフロログルシノール型化合物がフロログルシノールである請求項１の組成物。
【請求項８】
前記少なくとも一つのフロログルシノール型化合物が合成生成される請求項１の組成物。
【請求項９】
前記少なくとも一つのフルオログルシノール型化合物が、フロログルシノール又はフロログルシノール誘導体から合成生成される前記ポリマーである請求項１の組成物。
【請求項１０】
前記合成生成されるポリマーが複数の約２乃至約５００、０００フロログルシノールモノマー単位を含有する請求項９の組成物。
【請求項１１】
前記フロログルシノール型化合物が、組成物全重量の約０．０１重量パーセント乃至約１０重量パーセント範囲の濃度である請求項１の組成物。
【請求項１２】
前記水混和性ポリマーが天然存在又は合成生成される炭水化物型である請求項１の組成物。
【請求項１３】
前記炭水化物がアルギン酸の塩型、アルギン酸及びその組み合わせからなる一群から選択される請求項１２の組成物。
【請求項１４】
前記アルギン酸の塩型又は前記アルギン酸が、約２５パーセント乃至約７５パーセント範囲のアルファーL―グルクロン酸（G）を含有する請求項１３の組成物。
【請求項１５】
前記炭水化物がアルギン酸の塩型である請求項１２の組成物。
【請求項１６】
前記二価イオンが二価カルシウムイオンである請求項１の組成物。
【請求項１７】
前記架橋型の前記水混和性ポリマーが、組成物全重量の約０．１重量パーセント乃至約１０重量パーセント範囲の濃度である請求項１の組成物。
【請求項１８】
接着強度が少なくとも約５ｋＰａを有する請求項１の組成物。
【請求項１９】
請求項１の組成物製造方法で、その方法が
水混和性ポリマーを提供し、
二価イオンを含む前記少なくとも一つの架橋剤を提供し、
前記少なくとも一つのフロログルシノール型化合物を提供し、且つ
前記水混和性ポリマー、前記少なくとも一つの架橋剤及び前記少なくとも一つのフロログルシノール型化合物を混合し、それにより組成物を得る製造方法。
【請求項２０】
前記少なくとも一つのフロログルシノール型化合物がモノマー型である請求項１９の製造方法。
【請求項２１】
前記少なくとも一つのフロログルシノール型化合物が非架橋ポリマー型、又はオリゴマー型、又は／及び架橋ポリマー又はオリゴマー型である請求項１９の製造方法。
【請求項２２】
前記架橋ポリマー型が、少なくとも一つの活性化剤と、前記水混和性ポリマー及び前記少なくとも一つのフロログルシノール型化合物を、前記架橋ポリマー型が生じるように混合することで得られる請求項２１の製造方法。
【請求項２３】
前記少なくとも一つのフロログルシノール型化合物がフロログルシノール又は下記一般構造で表されるフロログルシノール誘導体である請求項２２の製造方法で、
【化２】
2008536958.tif 000002
R1-R3は水素、アルキル、シクロアルキル及びアリールからなる一群から互いに独立して選択される製造方法。
【請求項２４】
前記少なくとも一つのフロログルシノール型化合物がフロログルシノールである請求項１９の製造方法。
【請求項２５】
前記少なくとも一つのフロログルシノール型化合物が合成生成される請求項１９の製造方法。
【請求項２６】
前記少なくとも一つのフロログルシノール型化合物が、フロログルシノール又はフロログルシノール誘導体から合成生成される前記ポリマーである請求項１９の製造方法。
【請求項２７】
前記合成生成されるポリマーが複数の約２乃至約５００、０００フロログルシノールモノマー単位を含有する請求項２６の製造方法。
【請求項２８】
前記少なくとも一つのフロログルシノール型化合物を架橋させるように、更に少なくとも一つの活性化剤と、前記水混和性ポリマー及び前記少なくとも一つのフロログルシノール型化合物との混合を含む請求項１９の製造方法。
【請求項２９】
前記少なくとも一つの活性化剤が、ハロペルオキシダーゼ酵素、酸化剤、ハロゲン塩及びその組み合わせからなる一群から選択される請求項２８の製造方法。
【請求項３０】
前記フロログルシノール型化合物が組成物全重量の約０．０１重量パーセント乃至約１０重量パーセント範囲の濃度である請求項１９の製造方法。
【請求項３１】
前記水混和性ポリマーが天然存在又は合成生成される炭水化物型である請求項１９の製造方法。
【請求項３２】
前記炭水化物がアルギン酸の塩型、アルギン酸及びその組み合わせからなる一群から選択される請求項３１の製造方法。
【請求項３３】
前記アルギン酸の塩型又は前記アルギン酸が約２５パーセント乃至約７５パーセント範囲のアルファーL―グルクロン酸（G）単位を含有する請求項３２の製造方法。
【請求項３４】
前記炭水化物がアルギン酸の塩型である請求項３１の製造方法。
【請求項３５】
前記二価イオンが二価カルシウムイオンである請求項１９の製造方法。
【請求項３６】
前記水混和性ポリマーが組成物全重量の約０．１重量パーセント乃至約１０重量パーセント範囲の濃度である請求項１９の製造方法。
【請求項３７】
接着剤としての請求項１組成物の使用。
【請求項３８】
前記接着剤が乾燥条件又は湿潤条件で使用可能な請求項３７の使用。
【請求項３９】
前記接着剤が動物被験体の身体部分又は構成要素の接着に使用可能な請求項３８の使用。
【請求項４０】
前記構成要素が組織である請求項３９の使用。
【請求項４１】
前記接着剤が表面開口部を封止又は閉鎖する封止剤又はシール剤として使用できる請求項３７の使用。
【請求項４２】
前記封止又は閉鎖が乾燥条件又は湿潤条件下で起こる請求項３７の使用。
【請求項４３】
前記開口部を有する前記表面が動物被験体の身体部分又その構成要素である請求項４１の使用。
【請求項４４】
前記構成要素が組織である請求項４３の使用。